(57)【要約】      （修正有）【課題】携帯性に優れ、ピアノの演奏感を得ることができる電子楽器を提供する。【解決手段】操作スイッチ部４Ａ〜４Ｅを指先に取る付ける構成としたので、操作スイッチ部４Ａ〜４Ｅの先端に取り付けられたスイッチをオンオフさせて音を発生させる際にピアノの鍵盤をたたいているかのような演奏感を得ることができる。指先に取り付けた操作スイッチ部４Ａ〜４Ｅをオンとするためにスイッチを接触させる場所は机や壁などどこでもよいため、電子楽器１の使用場所を問わない。またベルト３を用いて本体部２を手首に装着可能としたので、電子楽器１の使用時にも携帯性がよい。【選択図】図１
0003140076.tif 000002
【実用新案登録請求の範囲】
【請求項１】
スピーカを備えた本体部と、
該本体部に取り付けられたベルトと、
前記本体部にコードによって接続され、手の指先を挿入可能なホルダ部と該ホルダ部が備えられた側に対して反対側に設けられたスイッチとで構成された操作スイッチ部と、を有し、
前記操作スイッチ部は、各指先に装着するために複数備えられ、
前記ベルトを手首に巻きつけることにより前記本体部を手首に装着可能であり、
前記スピーカからは、前記スイッチがオンとなった前記操作スイッチ部に対応する音が出力されることを特徴とする電子楽器。
【請求項２】
前記操作スイッチ部は５つ備えられ、
前記本体部には本体側操作スイッチ部が３つ設けられ、
前記５つの操作スイッチ部と、前記３つの本体側操作スイッチ部には、それぞれ「ド」から１オクターブ上の「ド」までの音が割り当てられ、前記スピーカからは、オンとなった前記操作スイッチまたは本体側操作スイッチに応じて、「ド」から１オクターブ上の「ド」までの音が出力されることを特徴とする請求項１に記載の電子楽器。
【請求項３】
ホルダ部のうち親指用のホルダ部とその他の指用とで、スイッチの位置が変えられていることを特徴とする請求項１に記載の電子楽器。
【考案の詳細な説明】
【技術分野】
【０００１】
本考案は、携帯性に優れ、ピアノの操作感を得ることができる電子楽器に関する。
【背景技術】
【０００２】
従来、複数のスイッチと、押下されたスイッチに対応した音を出力する音出力部とを備えた電子楽器がある。
また、このような電子楽器の中で、携帯性に優れたものとして例えば実用新案登録第３０８１５０９号公報に記載されたものがある。
この電子楽器は、本体の外面にスイッチを複数個設け、さらに本体に音を出力するための音出力部を備えるものである。
音出力部は、音信号生成部とスピーカとを有し、押下げられたスイッチのオンオフに応じて対応する音を発生させるものである。
操作者は、卵型の本体を手の平で包み込むようにして掴み、楽器を掴んだ状態で指でスイッチを押すことによって音を発生させる。
【特許文献１】実用新案登録第３０８１５０９号
【考案の開示】
【考案が解決しようとする課題】
【０００３】
しかしながら音声出力部を備えた本体の外面に、スイッチを備えた鍵盤を有する電子楽器では、電子楽器を置くための場所が必要となる。一方、電子楽器本体を掴んで音を発生させる上記実用新案登録第３０８１５０９号公報に記載のものでは、本体を掴んだ状態で音を発生させるものであるため、ピアノを演奏する感覚を得ることができないといった問題があった。
携帯性に優れ、場所を問わずにピアノを演奏する感覚、すなわちピアノの鍵盤を押下げする感覚が得られる電子楽器が欲しいといった要求がある。
【課題を解決するための手段】
【０００４】
そこで、本考案はこのような問題点および要求に応え、携帯性に優れ、場所を問わずにピアノを演奏する感覚が得られる電子楽器を提供するものである。
そのため本考案は、電子楽器を、スピーカを備えた本体部と、該本体部に取り付けられたベルトと、本体部にコードによって接続され、手の指先を挿入可能なホルダ部と該ホルダ部が備えられた側に対して反対側に設けられたスイッチとを備えた操作スイッチ部と、より構成し、操作スイッチ部を複数備えて各指先に装着可能とし、本体部はベルトを手首に巻きつけることによって装着可能とし、各割当てられた音階の指先を動かし、指先の腹部に備えてあるスイッチをオンすることで、スピーカからオンとなった操作スイッチ部に対応する音を出力可能とした。
また、操作スイッチ部を５つ備え、加えて本体部に本体側操作スイッチ部を３つ設けることで、それぞれ「ド」から１オクターブ上の「ド」までの音を割り当て、スピーカからオンとなった操作スイッチまたは本体側操作スイッチに応じて、「ド」から１オクターブ上の「ド」までの音を出力可能とした。
さらにまた、ホルダ部のうち親指用のホルダ部とその他の指用とで、親指の角度に対応させて指先挿入部の角度が変えられており、それによって操作スイッチ部の操作スイッチが他の指と同様にオンオフが確実に行えるようにした。
【考案の効果】
【０００５】
本考案によれば、操作スイッチ部を指先に装着し、ピアノの鍵盤をたたくようにしてスイッチをオンにして音を発生させるので、演奏者の感覚を得ることができる。指先に取り付けた操作スイッチ部をオンとするためにスイッチを接触させる場所は机や壁などどこでもよいため、電子楽器の使用場所を問わない。さらに、ベルトを用いて本体部を手首に装着可能としたので、電子楽器の使用時にも携帯性がよい。
操作スイッチ部を５つ、本体部に本体側操作スイッチ部を３つ設けたので、スピーカから、「ド」から１オクターブ上の「ド」までの８種類の音を出力でき、幅広い音楽を演奏することができる。
【考案を実施するための最良の形態】
【０００６】
次に本考案の実施の形態を実施例により説明する。
図１は、本実施例における電子楽器を装着した状態を示す図であり、図２は、本体部を側面から見た図である。
指の先端に装着される操作スイッチ部４Ａ〜４Ｅと、音を発生させる本体部２とより電子楽器１が構成される。
操作スイッチ部４Ａ〜４Ｅは、手の親指から小指までの各指先にそれぞれ装着できるようになっている。
また各操作スイッチ部４Ａ〜４Ｅと本体部２とは、それぞれ電気コード５Ａ〜５Ｅによって接続されている。
【０００７】
本体部２は、スピーカ２２と、外面に設けられた操作スイッチ部４Ｆ〜４Ｈと、ベルト３とより構成されている。
詳しくは後述するが、本体部２の内部には音信号生成部２１（図３参照）を備えている。
スピーカ２２からは、オンとなった操作スイッチ部４Ａ〜４Ｈに対応した音が出力される。
【０００８】
各操作スイッチ部４Ａ〜４Ｈには、それぞれド、レ、ミ、ファ、ソ、ラ、シ、ドまでの音が割り振られている。
例えば、操作スイッチ部４Ａがオンとなった場合には、スピーカ２２からは「ド」の音が出力される。他の操作スイッチ部４Ｂ〜４Ｈも同様に、スイッチがオンとなることによってスピーカ２２から「レ」〜「ド」（操作スイッチ部４Ａが操作された際に出力される「ド」よりも１オクターブ上の「ド」）の音が出力される。
【０００９】
また本体部２の外面には、本体スイッチ２３が設けられており、本体スイッチ２３をオンオフさせることにより、スピーカ２２からの音の出力を制御することができる。
図示を省略するが、本体部２は内部に電池を収容可能となっており、音信号生成部２１やスピーカ２２は電池の電力によって作動する。
【００１０】
本体部２の裏面には、特に図２に示すように断面U字形状のベルト保持部２４が設けられ、本体部２の裏面にベルト３を通すためのベルト穴３Ａが形成されている。
図１に示すように、本体部２の裏面に設けられたベルト穴３Ａにベルト３が通された状態で、図１中の右側端部の手前側面に面ファスナー３１が設けられ、さらに左側端部の奥側面にも面ファスナー３１が設けられている。
これにより手首にベルト３を巻きつけた際に、面ファスナー３１によってベルト３の両端部を連結可能となっている。
なお図１では、ベルト３や面ファスナー３１を示すため、ベルト３を手首に巻きつけずに広げた状態を示してある。
このように、ベルト３を手首に巻きつけて連結することによって本体部２を手首に装着できる。
【００１１】
次に、操作スイッチ部４Ａ〜４Ｅの詳細について図３を用いて説明する。
図３の（ａ）は、操作スイッチ部の斜視図であり、図３の（ｂ）は操作スイッチ部の側面図である。
操作スイッチ部４Ａ〜４Ｅは樹脂で形成された同様の構成であり、操作スイッチ部４Ａを代表させて説明する。
操作スイッチ部４Ａは、スイッチ本体部４１と、スイッチ４２とホルダ部４３とより構成されている。
スイッチ４２とホルダ部４３とはスイッチ本体部４１に対して相反する側の面に設けられている。
【００１２】
ホルダ部４３は、略円筒形状に形成され、両側面が切りかかれた形状で弾性を有するようなっている。
ホルダ部４３の円筒形状の内径は、図１に示すように親指を挿入可能な径に形成されている。
具体的には、操作スイッチ部４Ａのホルダ部４３は、親指を挿入するため内径が２０〜１５ｍｍに形成され、他の操作スイッチ部４Ｂ〜４Ｅのホルダ部４３は、親指よりも細い人差し指〜小指を挿入するため内径が１５〜１０ｍｍと小径に形成されている。
【００１３】
また、図４に示すように、ホルダ部４３のスイッチ４２の位置を中指用（人差し指・薬指を含む）と、親指用とで変化させておくとよい。
図４（a）は中指４５用のホルダを示し、ホルダ部４３の中心線ｘ上に指挿入口４４およびスイッチ４２が位置している。図４（b）は親指４６用のホルダを示し、ホルダ部４３の中心線xを外れた位置にスイッチ４２が位置している。このように親指用のホルダのスイッチ位置を変化させておくことにより、指の腹側に設けられたスイッチ４２が、奏者の親指４６の動きに合って、オン・オフをすることができる。
ここで、本体部２に設けられた操作スイッチ部４Ｆ〜４Ｈも、押されたときにオンとなるスイッチが用いられる。
【００１４】
図１に示すように、操作スイッチ部４Ａ〜４Ｈには、それぞれオンとなったときに、スピーカ２２から出力される音に対応する表示がされており、電子楽器１の使用者の操作性を向上させている。
【００１５】
次に図５を用いて、電子楽器１が音を発生させるための回路構成について説明する。
本体部２の内部に備えられた音信号生成部２１は、電子回路にてよって構成され、操作スイッチ部４Ａ〜４Ｈと、スピーカ２２が接続されている。
また音信号生成部２１は、電池２５からの電力が供給されている。
外部スイッチ２３は、電池２５から音信号生成部２１に供給される電力の通電、遮断を行うものである。
音信号生成部２１は、押下された操作スイッチ部４Ａ〜４Ｈに対応する「ド」〜「ド」（１オクターブ上の「ド」）の音信号を生成し、スピーカ２２へ出力する。
【００１６】
次に、電子楽器１の使用方法について図１を用いて説明する。
使用者は、ベルト３を手首にまきつけて本体部２を手首に固定する。
操作スイッチ部４Ａ〜４Ｅを親指〜小指に装着し本体スイッチ２３をオンにする。
使用者は、ピアノの鍵盤をたたくように親指〜小指の先端に取り付けられた操作スイッチ部４Ａ〜４Ｅを机や床、壁などに接触させて「ド」〜「ソ」までの音を発生させる。
また使用者は、電子楽器１を取り付けていない他方の手で操作スイッチ部４Ｆ〜４Ｈを押すことにより「ラ」、「シ」、「ド」の音を発生させることができる、
【００１７】
本実施例は以上のように構成され、操作スイッチ部４Ａ〜４Ｅを指先に取る付ける構成としたので、音を発生させる際にピアノの鍵盤をたたいているかのような演奏感を得ることができる。
指先に取り付けた操作スイッチ部４Ａ〜４Ｅをオンとするためにスイッチ４２を接触させる場所は机や壁などどこでもよいため、電子楽器１の使用場所を問わない。
またベルト３を用いて本体部２を手首に装着可能としたので、電子楽器１の使用時にも携帯性がよい。
【００１８】
次に操作スイッチ部の変形例について説明する。
なお本変形例における操作スイッチ部は、上記実施例における操作スイッチ部４Ａ〜４Ｅのホルダ部４３の形状を変形させたものである。
図６の（ａ）は、操作スイッチ部の斜視図であり、図６の（ｂ）は操作スイッチ部の側面図である。
またここでは、親指に装着される操作スイッチ部４Ａ’を代表させて説明する。
操作スイッチ部４Ａ’は、スイッチ本体部４１’、スイッチ４２’、ホルダ部４３’とより構成される。
ホルダ部４３’は、前側ホルダ部４３Ａ、後ろ側ホルダ部４３Ｂとより構成されている。
【００１９】
前側ホルダ部４３Ａは、略円筒形状に形成され、後ろ側ホルダ部４３Ｂは、一部が破断されたリング状に形成されている。
前側ホルダ部４３Ａの円筒形状の内径、および後ろ側ホルダ部４３Ｂの内径は、それぞれ親指を挿入可能な径（２０ｍｍ）に形成されている。
スイッチ本体部４１’、スイッチ４２’は、実施例におけるスイッチ本体部４１、スイッチ４２と同様の構成である。
本変形例においても、上記実施例と同様にホルダ部４３’に指先を挿入することにより、操作スイッチ部４Ａ’を指先に装着することができる。
【図面の簡単な説明】
【００２０】
【図１】電子楽器を手に装着した様子を示す図
【図２】本体部の側面を示す図
【図３】操作スイッチ部を示す図
【図４】ホルダ部正面図（（a）中指用ホルダ（b）親指用ホルダ）
【図５】音を発生させるための回路構成を示す図
【図６】操作スイッチ部の変形例を示す図
【符号の説明】
【００２１】
１    電子楽器
２    本体部
３    ベルト
３Ａ    ベルト穴
４Ａ〜４Ｅ、４Ａ’    操作スイッチ部
４Ｆ〜４Ｈ    操作スイッチ部（本体側操作スイッチ部）
５Ａ〜５Ｅ    コード
２１    音信号生成部
２２    スピーカ
２３    本体スイッチ
２４    ベルト保持部
２５    電池
３１    面ファスナー
４１、４１’    スイッチ本体部
４２、４２’    スイッチ
４３、４３’    ホルダ部
４３Ａ    前側ホルダ部
４３Ｂ    後ろ側ホルダ部
４４、４４’    指挿入口
４５    中指
４６    親指
ｘ    ホルダ部の中心線
【図１】
0003140076.tif 000003
【図２】
0003140076.tif 000004
【図３】
0003140076.tif 000005
【図４】
0003140076.tif 000006
【図５】
0003140076.tif 000007
【図６】
0003140076.tif 000008